(57)【要約】【課題】展開すれば大人一人が入浴可能なサイズの浴槽となり、折畳めば海外旅行用のトランクに無理なく収納できるサイズとなり、しかも折畳んだ状態で軽量で、展開及び折畳みに特殊な用具や材料を要せず、時間と手間もかからず、耐久性がある携帯用浴槽を開発する。【解決手段】軟質合成樹脂製の中空管に軟質合成樹脂製の膜体が水密性を保持し得る状態にて固着張設されていて中空管に空気又は湯や水を充填して自立させて浴槽となし、使用後は空気又は湯や水を抜いて全体をトランクに収容可能なサイズに折畳める携帯用浴槽を提供する。【選択図】        図１
0003111808.tif 000002
【実用新案登録請求の範囲】
【請求項１】
軟質合成樹脂製の膜体から成り内部に液体あるいは気体を充填せしめた中空管によって構成された立体形状の枠体の上面開口部を除く全ての面に軟質合成樹脂製の膜体が水密性を保持し得る状態にて固着張設されていて該立体形状の枠体の内部に上面開口部以外の全ての面に対して水密性を有する空間が構成され、且つ該立体形状の枠体を構成する中空管に液体あるいは気体を充填または排出するための充填及び排出用手段が設けられていることを特徴とする携帯用浴槽。
【請求項２】
立体形状の枠体を構成する中空管が全て連通されていて液体あるいは気体を充填または排出するための充填及び排出用手段が立体形状の枠体の１箇所のみに設けられていることを特徴とする請求項１に記載の携帯用浴槽。
【請求項３】
立体形状の枠体を構成する中空管の一部を狭窄部としたことを特徴とする請求項１あるいは請求項２に記載の携帯用浴槽。
【考案の詳細な説明】
【技術分野】
【０００１】
本考案は、携帯用浴槽に関し、さらに詳しくは海外旅行した際、滞在先のホテルがシャワー設備のみで浴槽が設置されていない場合などに、浴槽への入浴を希望する人のために空気等の気体または水や湯等の液体を充填することにより枠体を自立させて立体形状の浴槽となし、且つ使用後は空気等の気体または水や湯等の液体を排出し全体を折畳んでトランク等に収納して携帯できるように構成した携帯用浴槽に関するものである。
【背景技術】
【０００２】
日本人は外国人が驚くほどの、世界に稀な風呂好きの人種である。元々風呂は汚れた身体を洗い流すだけのものではなく、一日中の疲労をとり、然かも心の疲れをも癒してくれる日本人にはなくてはならない日常生活必需品である。
【０００３】
しかるに、日本人が海外旅行に出掛けた際、普通クラス以上のホテルに宿泊する際には大抵浴槽が設備されているものの、極めて安価なホテルや僻地のホテルに宿泊した場合、浴槽設備のない所も多く、そのようなホテルにては、シャワーで身体を洗うのみで我慢せざるを得ない状況を強いられることとなる。
【０００４】
１日２日程度の宿泊であればシャワーで身体を洗うのみで辛抱することもできるが、何日も浴槽へ入れない状態が続くと、風呂好きの人には大きなストレスとなってしまうケースも多々あると聞く。そこで、海外旅行中に滞在先のホテルに浴槽設備がない場合にても浴槽への入浴が十分楽しめるようにした携帯用浴槽の出現が強く要望される所以が茲にある。
【０００５】
従来携帯風呂には、実開平５−７２２９１が存在する。実開平５−７２２９１の携帯風呂は、外枠の支え４、外枠５、地面と接する外枠６、外枠７各２組づつ４点、及び浴槽１、側面の断熱マット２と底面の断熱マット３で構成されていた。
即ち、組み立てた外枠内に防水布と断熱マットで構成された浴槽を組み込んでなる携帯風呂である。そして、キャンプ地や浴室のないアパートで気軽に風呂を楽しむことができ、和風風呂、洋風風呂など変更が容易であるものである。
【０００６】
しかしながら、上記従来公知の携帯風呂は、外枠の支え４、外枠５、地面と接する外枠６、外枠７各２組ずつ４点、及び浴槽１、側面の断熱マット２と底面の断熱マット３で構成されていたから、組立て、取外しに非常に煩瑣な手数と労力を要し、しかも嵩張るゆえ、携帯に頗る不便と難渋を余儀なくされた。特に、海外旅行用のトランクに収納して携帯するということは到底不可能で、海外の旅行先で気軽に浴槽への入浴を楽しみたいという上記要望には全く応えることができないものであった。
【特許文献１】特開平５−７２２９１号公報
【考案の開示】
【考案が解決しようとする課題】
【０００７】
上記より、本考案の課題を次のとおりに設定した。
＜課題１＞
展開すれば大人一人が入浴可能なサイズの浴槽となり、折畳めば海外旅行用のトランクに無理なく収納できるサイズとなり、しかも折畳んだ状態で軽量な携帯用浴槽を開発する。
＜課題２＞
特殊な用具や材料を一切必要とすることなく展開且つ折畳みができる携帯用浴槽を開発する。
＜課題３＞
展開及び折畳みに時間と手間を要しない構成の携帯用浴槽を開発する。
＜課題４＞
耐久性があり、繰り返しの展開及び折畳みに耐え得る構成の携帯用浴槽を開発する。
【課題を解決するための手段】
【０００８】
本考案は、上記課題を解決するために、以下の解決手段を提供するものである。
＜解決手段１＞
軟質合成樹脂製の膜体から成り内部に液体あるいは気体を充填せしめた中空管によって構成された立体形状の枠体の上面開口部を除く全ての面に軟質合成樹脂製の膜体が水密性を保持し得る状態にて固着張設されていて該立体形状の枠体の内部に上面開口部以外の全ての面に対して水密性を有する空間が構成され、且つ該立体形状の枠体を構成する中空管に液体あるいは気体を充填または排出するための充填及び排出用手段が設けられていることを特徴とする携帯用浴槽。
＜解決手段２＞
立体形状の枠体を構成する中空管が全て連通されていて液体あるいは気体を充填または排出するための充填及び排出用手段が立体形状の枠体の１箇所のみに設けられていることを特徴とする解決手段１に記載の携帯用浴槽。
＜解決手段３＞
立体形状の枠体を構成する中空管の一部を狭窄部としたことを特徴とする解決手段１あるいは解決手段２に記載の携帯用浴槽。
【考案の効果】
【０００９】
本考案の解決手段１の携帯用浴槽は、軟質合成樹脂製の膜体から成り内部に液体あるいは気体を充填せしめた中空管によって構成された立体形状の枠体の上面開口部を除く全ての面に軟質合成樹脂製の膜体が水密性を保持し得る状態にて固着張設されていて該立体形状の枠体の内部に上面開口部以外の全ての面に対して水密性を有する空間が構成され、且つ該立体形状の枠体を構成する中空管に液体あるいは気体を充填または排出するための充填及び排出用手段が設けられているので、展開すれば大人一人が入浴可能なサイズの浴槽となり、折畳めば海外旅行用のトランクに無理なく収納できるサイズとなり、しかも折畳んだ状態で軽量であり、海外旅行用のトランクに収納して気軽に携帯できるものである。
【００１０】
しかも、中空管から構成される枠体に空気や水、あるいは湯を充填する
だけで枠体が自立して自然に立体形状に展開され、使用後は空気や水、あるいは湯を排出すれば手だけで略平面状に折畳めるので、特殊な用具や材料を一切必要とすることなく展開且つ折畳みができるものである。また、展開及び折畳みにも時間と手間を要しない。しかも、全体が一体として構成されており、且つ素材は全て軟質合成樹脂の膜体であるので、耐久性があり、繰り返しの展開及び折畳みに耐え得るものである。
【００１１】
本考案の解決手段２の携帯用浴槽は、立体形状の枠体を構成する中空管が全て連通されていて液体あるいは気体を充填または排出するための充填及び排出用手段が立体形状の枠体の１箇所のみに設けられているので、この１箇所の充填及び排出用手段から空気や水あるいは湯等を充填するだけで枠体全体が自立して立体形状となる。また、使用後はこの１箇所の充填及び排出用手段から空気や水あるいは湯等を排出するだけで全体が略平面状になるように折畳める。すなわち、展開及び折畳みに要する操作が極めて簡単且つ迅速に行えるものである。
【００１２】
本考案の解決手段３の携帯用浴槽は、立体形状の枠体を構成する中空管の一部を狭窄部としてあるので、この狭窄部が折畳みの際の折り目の目安となり、さらに迅速且つ正確に折畳み作業が行える。
【考案を実施するための最良の形態】
【００１３】
本考案を実施するための最良の形態を以下の図面を参照しながら詳細に説明する。なお、以下に説明する実施例１は、本考案の解決手段３に記載の考案の１実施例である。
【実施例１】
【００１４】
＜実施例１の構成＞
図１は、本考案の実施例１の携帯用浴槽１の外観斜視図である。実施例１の携帯用浴槽１は全体形状が略立方体状で、枠体２と枠体２に水密性をもって固着張設された膜体４より構成されている。携帯用浴槽１の上面開口部１１を除く各面、すなわち底面１２、正面１３、背面１４、左側面１５、右側面１６には全て膜体４、４、…が張設されている。そして、枠体２と膜体４、４、…によって立方体形状の内部空間Ｓが構成されている。
【００１５】
枠体２は、図１に見るように軟質合成樹脂製の中空管ｔを全体として立方体形状の籠状になるように連通性を保持しつつ連結構成したもので、上面開口部１１を除く各面、すなわち底面１２、正面１３、背面１４、左側面１５、右側面１６は中空管ｔ、ｔ、…を田字状に連結して構成されている。なお、図１は、枠体２を構成する中空管ｔ、ｔ、…の内部に空気等の液体あるいは湯や水等の液体を充填させて自立させた状態を示している。
【００１６】
枠体２は、図１に見るように一部が狭窄部３となっており、狭窄部３、３、…にて個々の中空管ｔ、ｔ、…が全て連結された状態にある。狭窄部３は、図１に見るように、上面開口部１１にては各辺の交点と２等分点に設けられている。また、底面１２、正面１３、背面１４、左側面１５、右側面１６にては、各辺の交点と２等分点及び田字状の中央部に設けられている。
【００１７】
図３ａ、図３ｂに狭窄部３の１例の断面構成を示す。図３ａは正面１３の上辺の２等分点に設けられた狭窄部３の縦断面図で、中空管ｔ、ｔ、ｔがＴ字状の狭窄部３にて連通されている状態を示している。図３ａに見るように、中空管ｔ、ｔ、ｔとＴ字状の狭窄部３は一体として軟質合成樹脂製の膜体より構成され、中空管ｔ、ｔ、ｔと狭窄部３に、水密性を保持できる状態にて軟質合成樹脂製の膜体４，４が固着張設されている。軟質合成樹脂製の膜体４，４が固着張設される方法としては、接着あるいは溶着等を用いることができる。
【００１８】
図３ｂは正面１３の枠体２が田字状に構成された中央部分に設けられた狭窄部３の縦断面図で、中空管ｔ、ｔ、ｔ、ｔが十字状の狭窄部３にて連通されている状態を示している。やはり、中空管ｔ、ｔ、ｔ、ｔと十字状の狭窄部３は一体として軟質合成樹脂製の膜体より構成され、中空管ｔ、ｔ、ｔ、ｔと狭窄部３に、水密性を保持できる状態にて軟質合成樹脂製の膜体４，４、４，４が固着張設されている。図３ａ、図３ｂには狭窄部３の１例を夫々示したが、他の狭窄部３，３、…も略同様の構成である。
【００１９】
即ち、枠体２の全体は、中空管ｔ、ｔ、…が狭窄部３，３、…により全て連通されて構成されていて、中空管ｔ、ｔ、…及び狭窄部３，３、…の内部に空気等の気体あるいは湯や水等の液体が充填されることにより、図１に示すような立方体形状に自立し、上面開口部１１を除く底面１２、正面１３、背面１４、左側面１５、右側面１６の各面が膜体４，４、…により水密性を保持するように構成され、故に全体が、立方体形状の内部空間Ｓに湯や水を充満させることができる浴槽、すなわち携帯用浴槽１として構成されるものである。
【００２０】
図１にて、枠体２の一部、すなわち、上面開口部１１の右端前方にあたる部分の枠体２の中空管ｔの上面に、中空管ｔの内部と外部を連通させる注入排出口５が設けられているが、この注入排出口５は、解決手段１に記載の充填及び排出用手段の具体化された１例に相当する。注入排出口５にはキャップｃが設けられていて、キャップｃを注入排出口５に挿入することにより中空管ｔの内部は外気から気密性及び水密性をもって遮断される。
【００２１】
なお、図１は枠体２の中空管ｔ、ｔ、…内部に空気等の気体あるいは湯や水等の液体が充填されて枠体２が立方体形状に自立している状態を示しているので、本来ならばキャップｃが注入排出口５に挿入されているべきであるが、注入排出口５とキャップｃの関係をわかりやすく図示せんがためにキャップｃが注入排出口５に挿入されていない状態を示している。
【００２２】
＜実施例１の作用＞
実施例１の携帯用浴槽１は、図１に示すような状態にて使用される。すなわち、注入排出口５からキャップｃを外して枠体２の中空管ｔ、ｔ、…内部に空気等の気体あるいは湯や水等の液体を充填させれば枠体２が自立して全体が略立方体状となるので、枠体２の中空管ｔ、ｔ、…が気体あるいは液体にて十分に充填された時点でキャップｃを注入排出口５に固く挿入する。
【００２３】
この際、枠体２の中空管ｔ、ｔ、…内部には、息を吹き込むか、あるいは携帯用の空気ポンプ（図示せず）があれば空気を充填しても良いし、さもなければ水や湯を充填しても良い。注入排出口５のサイズをホース（図示せず）のサイズと合わせておけば、ホースを注入排出口５に接続するだけで水や湯の注入は簡単に行える。あるいは、訪問先の諸外国でホースのサイズが異なるという場合には、各種のホースサイズに合わせたアタッチメント（図示せず）を用意しても良い。いずれにせよ、充填材料としては、どこにでもある空気、あるいは浴室やシャワー室なら必ず得られる湯や水を用いるのが最も簡単である。なお、湯を充填すれば保温効果も得られる。
【００２４】
上記のようにして枠体２が自立し、携帯用浴槽１が図１に示す状態になれば、キャップｃを注入排出口５に固く挿入して展開は完了する。この状態で、狭窄部３、３に挟まれた中空管ｔの長さをｄとすると（図１参照）、例えばｄ＝４０ｃｍとするなら、図１に示す携帯用浴槽１の寸法は、幅も奥行きも高さも全て８０ｃｍとなるが、これは、大人一人が携帯用浴槽１の内部空間Ｓに充分に入れるだけのサイズである。
【００２５】
このようにして展開が完了すれば、上面開口部１１から携帯用浴槽１の立方体形状の内部空間Ｓに適温の湯を注入する。湯量が適切になった状態で湯の注入を停止し、上面開口部１１から携帯用浴槽１の内部空間Ｓに進入して入浴する。
【００２６】
入浴が終了すれば、携帯用浴槽１の立方体形状の内部空間Ｓの湯を排出するわけであるが、湯の排出の方法は、ホース（図示せず）をサイホンとして用いて排出することもできるし、あるいは上面開口部１１の１辺を下方に押し込めばその部分の高さが低くなり、そこから湯を排出することも可能である。いずれにせよ、携帯用浴槽１の立方体形状の内部空間Ｓの湯が全部排出されれば、注入排出口５に挿入されているキャップｃを注入排出口５から脱抜して枠体２の中空管ｔ、ｔ、…内部に充填されている空気あるいは湯あるいは水を排出する。
【００２７】
枠体２の中空管ｔ、ｔ、…内部に充填されている空気あるいは湯あるいは水が完全に排出されれば、次に携帯用浴槽１全体を折畳む。この際、狭窄部３，３、…を目安として順序良く折畳むことにより、最終的には一辺がｄの長さの正方形状にまで折畳むことが可能である。その折畳みのプロセスを、図２ａ〜図２ｈに示す。なお、図２ａ〜図２ｈにおいては、折畳みのプロセスが明瞭になるように、枠体２の中空管ｔ、ｔ、…を実線にて表現している。また、注入排出口５の表示は省いてある。
【００２８】
図１の状態にて、上面開口部の４辺のうちいずれか１辺をまず内側に折畳む。図２ａでは、上面開口部の４辺のうちの左側面１５側の辺Ｌ１を内側に折畳む方法を示してある。正面１３と背面１４はいずれも左側面に近い側が褶曲しつつ折畳まれていく。
【００２９】
辺Ｌ１を完全に折畳んだ状態を図２ｂに示す。この状態で、辺Ｌ１は右側面１６と底面１２の交わる稜線である辺Ｌ２の内側に正確に重ねられ、左側面１５は底面１２の上に正確に重ねられる。正面１３と背面１４は夫々の対角線により２等辺３角形状に折畳まれて、正面１３にては対角線が２等辺３角形の長辺である稜Ｌ３として現れ、背面１４にては対角線が２等辺３角形の長辺である稜Ｌ４として現れる。
【００３０】
次に、背面１４の右上端の点Ｐ１を図２ｃに示すように内側に折り込んでいく。折り込んでいくにつれて背面１４と右側面１６は褶曲する。点Ｐ１を完全に折り込んで点Ｐ１が正面１３の右下端の点Ｐ２に内側から重なった状態を図２ｄに示す。この状態で、既に２等辺３角形状に折畳まれていた背面１４は底面１２の上に重ねられている左側面１５の上に重ねられる。また、右側面１６は２等辺３角形状に折畳まれて対角線が稜Ｌ６として現れる。
【００３１】
次に、正面１３の右上端の点Ｐ３が正面１３の左下端の点Ｐ４に重なるように折畳んでいく。完全に折畳まれた状態を図２ｅに示す。この状態で、２等辺３角形状に折畳まれていた右側面１６は左側面１５と背面１４の上に重なり、図２ｄの状態で正面１３と右側面１６の交わる部分に現れていた辺Ｌ５と正面１３の対角線であった稜Ｌ３によって２等辺３角形状の突出部分Ｔ１が形成される。なお、図２ｅの段階で、全体は平面形状に折畳まれている。
【００３２】
次に、図２ｆに示すように、直線Ｌ７によって突出部分Ｔ１を内側に折畳む。すると、全体は正方形状となる。さらに、図２ｇに示すように直線Ｌ８によってこれを半分に折畳むと全体は長方形状になる。さらに、図２ｈに示すように直線Ｌ９によってこれを半分に折畳むと全体は再び正方形状になる。この段階で、１辺の長さがｄの正方形状の平面にまで折畳まれたことになるので、これで折畳みのプロセスは完了とする。
【００３３】
今、ｄ＝４０ｃｍとすると、携帯用浴槽１は全体が１辺４０ｃｍの正方形にまで折畳まれることとなり、これは、殆どの海外旅行用のトランクに十分収納可能なサイズである。なお、これをさらに半分や４分の１に折畳むことも不可能ではないが、そこまで折畳んだ場合、全体の嵩（高さ）が厚くなり、かえって収納に不便となるので、１辺の長さがｄの正方形状の平面にまで折畳まれた状態で折畳みは完了とした。
【００３４】
長さｄは図１における狭窄部３と次の狭窄部３の間の中空管ｔの長さであり、携帯用浴槽１は、全体が、１辺の長さがｄの正方形のサイズ、すなわち略１枚の膜体４のサイズにまで折畳まれることになる。そして、この折畳みの際に、狭窄部３，３、…が有効な目安となっていることは、上記折畳みのプロセス及び図２ａ〜図２ｈによって明白である。
【００３５】
なお、以上に示した折畳みのプロセスは、あくまで折畳み方法の１例にすぎず、これ以外にも様々な折畳み方法があるのはいうまでもないことである。すなわち、実施例１の考案は、あくまでその構成が要部であって、折畳み方法に関しては使用者が任意に選択できるものであり、上記のプロセス及び図２ａ〜図２ｈに限定されるものでないことは当然のことである。
【００３６】
次に、携帯用浴槽１を展開する際には、図２ｈに示した状態（１辺の長さがｄの正方形）から、上記のプロセスを逆に辿って全体が略立方体の立体形状に展開される。実際には、完全に展開される前の段階、例えば図２ｃ程度の状態に展開されたところで注入排出口５（図１参照）から空気あるいは湯や水を注入すれば、圧力によって自然に展開が進み、図１のような状態となる。
【００３７】
なお、実施例１の携帯用浴槽１において、長さｄを４０ｃｍと仮定したが、長さｄは３５〜５５ｃｍ程度が許容範囲と考えられる。長さｄが３５ｃｍの場合、立方体形状に展開された携帯用浴槽１の１辺は７０ｃｍとなり、これは大人一人が入浴できるぎりぎりのサイズであって、これを下回ると浴槽としての用をなさない。また、長さｄが５５ｃｍを越えてしまうと、図２ｈの状態に折畳んだ場合に正方形状の１辺が５５ｃｍを越えることとなり、トランクのサイズによっては収納しづらくなる場合も出てくる。さらに、立方体形状に展開された携帯用浴槽１の１辺が１１０ｃｍとなるので、ホテルのシャワールーム等では設置できないところが多くなる可能性がある。
【００３８】
また、実施例１の携帯用浴槽にては展開形状が略立方体状で、折畳むと正方形状となるものであるが、むろん本考案の携帯用浴槽は、これ以外にも様々な形態が考え得るものである。図４ａ、図４ｂ、図５ａ、図５ｂにはその一例を示す。なお、図４ａ、図４ｂ、図５ａ、図５ｂはすべて模式図で示している。
【００３９】
図４ａの携帯用浴槽１０は枠体２０と膜体４０から構成され、枠体２０を構成する中空管ｔａ（実線で示す）の交点は狭窄部３０（円で示す）となっている。この携帯用浴槽１０は正３角形ＴＲ−１状（図４ｂ参照）に折畳めるものである。また、図５ａの携帯用浴槽１００は枠体２００と膜体４００から構成され、枠体２００を構成する中空管ｔｂ（実線で示す）の交点は狭窄部３００（円で示す）となっている。この携帯用浴槽１００は２等辺３角形ＴＲ−２状（図５ｂ参照）に折畳めるものである。
【産業上の利用可能性】
【００４０】
本考案は、上記のように扱いが簡便で軽く、トランクに入る程度のサイズに折畳める携帯用浴槽であるので、海外旅行用に限らず、キャンプや登山等で浴槽設備のない場所に宿泊する際にも、本考案の携帯用浴槽を携帯すれば、手軽に入浴の快感が楽しめる。
【図面の簡単な説明】
【００４１】
【図１】本考案の実施例１の携帯用浴槽の展開された状態の外観斜視図である。
【図２】（ａ）本考案の実施例１の携帯用浴槽の折畳み方法を示す参考説明図である。（ｂ）本考案の実施例１の携帯用浴槽の折畳み方法を示す参考説明図である。（ｃ）本考案の実施例１の携帯用浴槽の折畳み方法を示す参考説明図である。（ｄ）本考案の実施例１の携帯用浴槽の折畳み方法を示す参考説明図である。（ｅ）本考案の実施例１の携帯用浴槽の折畳み方法を示す参考説明図である。（ｆ）本考案の実施例１の携帯用浴槽の折畳み方法を示す参考説明図である。（ｇ）本考案の実施例１の携帯用浴槽の折畳み方法を示す参考説明図である。（ｈ）本考案の実施例１の携帯用浴槽の折畳み方法を示す参考説明図である。
【図３】（ａ）本考案の実施例１の携帯用浴槽の狭窄部の１例の縦断面図である。（ｂ）本考案の実施例１の携帯用浴槽の狭窄部の１例の縦断面図である。
【図４】（ａ）本考案の実施例１の携帯用浴槽の他の形態を示す模式図である。（ｂ）本考案の実施例１の携帯用浴槽の他の形態を折畳んだ状態を示す模式図である。
【図５】（ａ）本考案の実施例１の携帯用浴槽の他の形態を示す模式図である。（ｂ）本考案の実施例１の携帯用浴槽の他の形態を折畳んだ状態を示す模式図である。
【符号の説明】
【００４２】
１      携帯用浴槽
１０    携帯用浴槽
１００  携帯用浴槽
１１    上面開口部
１２    底面
１３    正面
１４    背面
１５    左側面
１６    右側面
２      枠体
２０    枠体
２００  枠体
３      狭窄部
３０    狭窄部
３００  狭窄部
４      膜体
４０    膜体
４００  膜体
５      注入排出口
Ｌ１    辺
Ｌ２    辺
Ｌ３    稜
Ｌ４    稜
Ｌ５    辺
Ｌ６    稜
Ｌ７    直線
Ｌ８    直線
Ｌ９    直線
Ｐ１    点
Ｐ２    点
Ｐ３    点
Ｐ４    点
Ｓ      内部空間
Ｔ１    突出部
ＴＲ−１  正三角形
ＴＲ−２  二等辺三角形
ｃ      キャップ
ｄ      長さ
ｔ      中空管
ｔａ    中空管
ｔｂ    中空管
【図１】
0003111808.tif 000003
【図２】
0003111808.tif 000004
【図３】
0003111808.tif 000005
【図４】
0003111808.tif 000006
【図５】
0003111808.tif 000007